(57)【特許請求の範囲】
【請求項１】
遊技機の所定箇所に設けられる機構ベースに対して組み付けられる遊技機用可動装置であって、
単一の駆動源と、
前記駆動源より駆動伝達されて移動可能な第１の可動体と、
前記駆動源より駆動伝達されて前記第１の可動体に移動可能に組み付けられた第２の可動体と、
前記第１の可動体に対向して配置される対向部材と、を備え、
前記第１の可動体と対向部材のいずれか一方に第２の可動体を移動させる間は、前記第１の可動体を対向部材に対して相対的に移動しないように移動を規制する規制手段が設けられていることを特徴とする遊技機用可動装置。
【請求項２】
前記規制手段は、第１の可動体に回転可能に軸支された回転体と、当該回転体を前記対向部材に向けて押し当てるように付勢する付勢手段とを備えている請求項１記載の遊技機用可動装置。
【請求項３】
前記回転体はローラであり、当該ローラと対向する前記対向部材の対向面に押し当てられて発生する摩擦力がローラの回転軸周りに作用する回転トルクの大きさより上回ることにより前記第１の可動体の相対移動が規制され、前記回転トルクが摩擦力を上回ると前記第１の可動体が前記対向部材に対して相対的に移動する請求項２記載の遊技機用可動装置。
【請求項４】
前記ローラの外周面と対向面には歯面が形成されており、当該ローラの歯面が対向面の歯面に押し当てられて噛み合っている請求項３記載の遊技機用可動装置。
【請求項５】
前記第１の可動体は回転可能な回転体であり、前記第２の可動体は当該回転体に第１位置と第２位置との間を回転可能に組み付けられており、前記第２の可動体が第１位置と第２位置との間を回転する間は前記第１の可動体の回転が規制され、更なる回転駆動により第２の可動体が第１位置若しくは第２位置のまま第１の可動体が回転する請求項１乃至４のいずれか１項記載の遊技機用可動装置。
【請求項６】
請求項１乃至５のいずれか１項記載の遊技機用可動装置を用いた遊技機用可動演出装置を備えた遊技機。
【発明の詳細な説明】
【技術分野】
【０００１】
本発明は、遊技機用可動装置及びそれを備えた遊技機に関する。
【背景技術】
【０００２】
パチンコ機などの遊技機は、外枠に対して開閉可能に設けられた内枠に遊技盤が着脱可能に組み付けられている。内枠には前面枠が開閉可能に設けられている。遊技盤の盤面上に形成される遊技領域においては、図柄表示装置（液晶表示装置）が設けられ、入賞や大当たりの発生などの遊技状態に応じた図柄を変動表示することで、遊技者の興趣を高め、演出が行われている。
【０００３】
この図柄表示装置（液晶表示装置）の図柄の変動表示に加えて更に可動装飾ユニットによる演出効果を高めた遊技機が提案されている。具体的には、前面枠の遊技領域を視認する窓部の外周縁部に可動装飾ユニットが回転可能に取り付けられている。可動装飾ユニットは、駆動源より回転駆動される環状体を備え、該環状体の仮想軸より下方では内外周から複数のローラで挟み込んで支持するとともに仮想軸より上方では外周側よりローラで押さえ込んで、回転軌道の振れを抑えるようになっている（特許文献１参照）。
【先行技術文献】
【特許文献】
【０００４】
【特許文献１】特開２００８−２３７７６２号公報
【発明の開示】
【発明が解決しようとする課題】
【０００５】
上述した特許文献１の可動装飾ユニットは、駆動源を起動すると、環状体が回転するとともに、環状体を支持する支持板に設けられた発光基板に設けられたＬＥＤを発光させて装飾性を高めるようにしている。
しかしながら、環状体は窓枠の周縁部に設けられ、意匠面が限られており装飾効果も限られるうえに、可動体が環状体の回転のみでは、動作の意外性に乏しく、興趣に薄れる。
また、単一の駆動源から複数の可動体に駆動伝達して移動させる場合、当該複数の可動体が同時に動き出すと、各可動体の動作が単調になり演出効果も薄れるうえに、また可動体どうしが相対移動することで原点位置を有する可動体の動作制御が行い難くなる。
【０００６】
本発明の目的は、単一の駆動源により複数の可動体が同時に動作するのを規制し、簡易な構成でより複雑な動作を実現できる遊技機用可動装置及びそれを備えて複数の可動体の動作により遊技者の興趣を向上させた遊技機を提供することにある。
【課題を解決するための手段】
【０００７】
本発明は上記目的を達成するため、次の構成を備えることを特徴とする。
遊技機の所定箇所に設けられる機構ベースに対して組み付けられる遊技機用可動装置であって、単一の駆動源と、前記駆動源より駆動伝達されて移動可能な第１の可動体と、前記駆動源より駆動伝達されて前記第１の可動体に移動可能に組み付けられた第２の可動体と、前記第１の可動体に対向して配置される対向部材と、を備え、前記第１の可動体と対向部材のいずれか一方に第２の可動体を移動させる間は、前記第１の可動体を対向部材に対して相対的に移動しないように移動を規制する規制手段が設けられていることを特徴とする。
【０００８】
前記規制手段は、第１の可動体に回転可能に軸支された回転体と、当該回転体を前記対向部材に向けて押し当てるように付勢する付勢手段とを備えていることを特徴とする。
【０００９】
前記回転体はローラであり、当該ローラと対向する前記対向部材の対向面に押し当てられて発生する摩擦力がローラの回転軸周りに作用する回転トルクの大きさより上回ることにより前記第１の可動体の相対移動が規制され、前記回転トルクが摩擦力を上回ると前記第１の可動体が前記対向部材に対して相対的に移動することを特徴とする。
【００１０】
前記ローラの外周面と対向面には歯面が形成されており、当該ローラの歯面が対向面の歯面に押し当てられて噛み合っていることを特徴とする。
【００１１】
前記第１の可動体は回転可能な回転体であり、前記第２の可動体は当該回転体に第１位置と第２位置との間を回転可能に組み付けられており、前記第２の可動体が第１位置と第２位置との間を回転する間は前記第１の可動体の回転が規制され、前記駆動源の更なる回転駆動により第２の可動体が第１位置若しくは第２位置のまま第１の可動体が回転することを特徴とする。
【００１２】
また、遊技機においては、上述した遊技機用可動装置を用いた遊技機用可動演出装置を備えたことを特徴とする。
【発明の効果】
【００１３】
上述した遊技機用可動装置を用いれば、第１の可動体と対向部材のいずれか一方に第２の可動体を移動させる間は、第１の可動体を対向部材に対し相対的に移動しないように移動を規制する規制手段が設けられていると、第２の可動体を移動させる際に第１の可動体の対向部材に対する位置ずれが生じない。よって、単一の駆動源により複数の可動体に駆動伝達を行う場合に、全ての可動体を同時に移動させること無く特定の可動体のみを移動させる制御が行なえる。また、第１の可動体を対向部材に対して基準位置を決めておく場合には当該基準位置に第１の可動体の移動を規制でき、基準位置の設定が無くても任意の位置で第１の可動体が位置ずれすることなく第２の可動体のみを移動させることができる。
【００１４】
規制手段の構成として、第１の可動体に回転体が回転可能に軸支されており、当該回転体を対向部材に向けて押し当てるように付勢する付勢手段が設けられていると、第１の可動体の移動を無理なく規制することができ、第１の回転体が回転する際には、回転体が対向部材に押し当てられたまま転がるか滑り動いてスムーズに回転させることができる。
【００１５】
また、回転体はローラであり、当該ローラと対向する対向部材の対向面に押し当てられて発生する摩擦力がローラの回転軸周りに作用する回転トルクの大きさより上回ることにより第１の可動体の相対移動が規制され、回転トルクが摩擦力を上回ると第１の可動体が対向部材に対して相対的に移動するようになっているので、第１の可動体の動作制御が簡易な機械的構成で精度良く行なえる。また、第１の可動体が移動する際にローラは対向面に押し当てられたまま第１の可動体の移動を補助する補助ローラとして機能する。
【００１６】
また、ローラの外周面と対向面には歯面が形成されており、当該ローラの歯面が対向面の歯面に押し当てられて噛み合っていると、第１の可動体が移動する際にローラが対向面に沿って確実に回転するので、第１の可動体がスムーズに移動することができる。
【００１７】
また、第１の可動体は回転可能な回転体であり、第２の可動体は当該回転体に第１位置と第２位置との間を回転可能に組み付けられており、第２の可動体が第１位置と第２位置との間を回転する間は第１の可動体の回転が規制され、駆動源の更なる回転駆動により第２の可動体が第１位置若しくは第２位置のまま第１の可動体が回転する。これにより、第２の可動体のみが移動するという動きに加えて、第１、第２の可動体が一体となって回転する動作を切り換えて行なうことができる。よって、単一の駆動源による第１，第２の可動体の複雑な移動動作を簡易な機械的構成で実現できるので、組み付け工程が簡素化できるとともに、コスト削減を図ることができる。
【００１８】
また、上述した遊技機用可動装置を用いた遊技機用可動演出装置を備えた遊技機においては、遊技機用可動演出装置が駆動源をいずれか一方に回転駆動すると第１の可動体は移動が規制されたまま、第２の可動体の第１の可動体に対する位置が変位して可動演出装置の意匠面の表示面積を拡大縮小し、駆動源を更に駆動すると第２の可動体がその位置を保ったまま第１の可動体と一体となって回転する、という意外性のある演出が行われるので、限られた遊技領域で遊技者の興趣が尽きない多彩な演出を行なうことができる。
【図面の簡単な説明】
【００１９】
【図１】遊技機の正面図である。
【図２】遊技機用可動演出装置の動作前の正面図及び平面図である。
【図３】図２の矢印Ａ−Ａ断面図、矢印Ｂ−Ｂ断面図である。
【図４】遊技機用可動演出装置の動作前の平面図、矢印Ｃ−Ｃ断面図及び矢印Ｃ´‐Ｃ´部分断面図である。
【図５】図４の矢印Ｄ−Ｄ断面図である。
【図６】遊技機用可動演出装置の分解斜視図である。
【図７】可動体及び回転体の拡大分解斜視図である。
【図８】回転体に組み付けられる回転規制手段の分解斜視図である。
【図９】遊技機用可動演出装置の動作後の正面図及び平面図である。
【図１０】図９の矢印Ｅ−Ｅ断面図、矢印Ｆ−Ｆ断面図である。
【図１１】遊技機用可動演出装置の動作前後の駆動伝達歯車列の状態を示す後面図である。
【図１２】可動体、回転体の動作前後の状態を示す駆動伝達歯車列の後面破断図である。
【図１３】他例に係る回転規制手段の説明図である。
【図１４】他例に係る第２可動体の移動前後の状態を示す部分説明図である。
【図１５】図１４の矢印Ｇ−Ｇ断面図である。
【発明を実施するための形態】
【００２０】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。パチンコ機１は、外枠２と遊技盤３が設けられた内枠（図示せず）と、該内枠を覆う前面枠５を備えている。図示しない内枠は、ヒンジ４ａ，４ｂにより外枠２に対して開閉可能に取り付けられている。また、前面枠５は内枠に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００２１】
また、窓部６の下方には、貸球や賞球を貯留し図示しない球発射装置へ球を誘導する球受け皿８が設けられている。球受け皿８の右側には、図示しない球発射装置によって遊技領域へ発射される遊技球の発射力を調節するための発射ハンドル９が設けられている。
【００２２】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４ａ、アタッカー１４ｂ、遊技盤レール１５、サイドランプ１６などの盤面部品やアウト球（電動チューリップ１４ａ，アタッカー１４ｂに入賞しなかった遊技球）を回収するアウト口１７などが設けられている。センター役物１１には、遊技状態に応じて可動体が移動する可動演出装置１８（遊技機用可動装置）が設けられている。
【００２３】
可動演出装置１８の概略構成について図１乃至図１１を参照して説明する。
可動演出装置１８は、遊技領域の所定箇所に組み付けられる機構ベース（例えば可動アーム３４；図１仮想線参照）に組み付けられる。図２（ａ）（ｂ）に示すように、可動体演出装置１８には、遊技機前面より視認される装飾体１９の前面側装飾部１９ａが、当該装飾体１９より後方に配置される後方取付部材２０（対向部材）に回転軸２１を中心に回転可能に軸支されている（図３（ａ）（ｂ）参照）。また、モータ２２（単一の駆動源）から駆動伝達されて回転する回転体２３（第１の可動体）が、装飾体１９と後方取付部材２０との間に回転軸２１と同心状に配置されている。
【００２４】
また、可動体２４（第２の可動体）は、モータ２２の回転方向に応じて装飾体１９の後方に収納された収納位置（第１位置；図２（ａ）参照）と当該装飾体１９の外周より外側へ移動して装飾体１９（前面側装飾部１９ａ）の意匠面を拡大表示する作動位置（第２位置；図９（ａ）参照）との間を移動可能（回転可能）に回転体２２に組み付けられている。以下では、これらの各部の構造について詳述する。
【００２５】
装飾体１９には、意匠面が形成された前面側装飾部１９ａの後方に発光基板１９ｂと基板台座１９ｃが設けられている。発光基板１９ｂが基板台座１９ｃに重ね合わせて支持されており、基板台座１９ｃは、基板台座１９ｃに一体に形成された中心円筒部１９ｆを介して後方取付部材２０に組み付けられている（図３（ａ）（ｂ）参照）。また、発光基板１９ｂには、前面側装飾部１９ａを光らせる発光素子（ＬＥＤ）（図示せず）が配線部に実装されている。前面側装飾部１９ａには、拡散レンズ、装飾レンズが組み付けられている。前面側装飾部１９ａの後面側に突設された回転軸２１は、軸受部１９ｄを介して基板台座１９ｃの中心孔１９ｅに嵌め込んで組み付けられる。回転軸２１の後端は、軸受部２０ｂを介して後方取付部材２０の中心孔２０ａに嵌め込んで回転可能に組み付けられる。
【００２６】
図３（ａ），（ｂ）に示すように、回転軸２１の後端は、後方取付部材２０の後面側に延設されており、該回転軸２１の延設された部分には歯車２１ａが嵌め込まれＥリング３３により抜け止めされて組み付けられている。これにより前方側装飾部１９ａは、歯車２１ａにより抜け止めされる。モータ２２は、後方取付部材２０の後面側にモータ取付部材２５を介して組み付けられる。図６において、モータ２２のモータ軸２２ｂに組み付けられるモータ歯車２２ａは、モータ取付部材２５（図３（ａ），図６参照）に回転可能に組み付けられる駆動伝達歯車２６（二段歯車）の小径歯部２６ａを介して歯車２１ａと噛み合っている。よって、モータ２２を正逆回転駆動すると、前側装飾部１９ａも同方向に従動回転するようになっている。
【００２７】
図６において、後方取付部材２０の前面側には、リング状の伝達歯車２７が回転軸２１と同心状に設けられる。図１１（ａ）（ｂ）において、伝達歯車２７の後面側に設けられた小径歯部２７ａは、モータ歯車２２ａと噛み合っている。図５において、伝達歯車２７の前面に設けられたボス２７ｃは、回転体２３の中心円筒部２３ａの近傍に設けられた長孔２３ｂに嵌め込まれている。よって、モータ２２を正逆回転駆動すると伝達歯車２７は逆向きに従動回転し、伝達歯車２７のボス２７ｃが長孔２３ｂの端部（２３ｂ１若しくは２３ｂ２）と係止すると、回転体２３が伝達歯車２７と一体となって同方向へ回転するようになっている。
【００２８】
図４（ｂ）において、回転体２３の後面外周側には可動歯車２８が回転可能に軸支されている。可動歯車２８の歯部２８ａは伝達歯車２７の大径歯部２７ｂと噛み合っている。
【００２９】
図７において、回転体２３の外周側にはボス孔２３ｃとその周囲に円弧状のガイド孔２３ｄが複数箇所（例えば８箇所）に設けられている。また、回転体２３の前面側に組み付けられる可動体２４は、大径フィン２４ａ，小径フィン２４ｂが正面視して交互に４箇所ずつ合計８箇所に設けられている（図６参照）。これらの可動体２４の各基端部には、回転体２３の前面に重ね合わせて取り付けられる取付板２４ｃが各々設けられている。各取付板２４ｃの後面側中心部とその周囲にはボス２４ｄ，２４ｅが各々突設されている。各ボス２４ｄ，２４ｅには、ねじ孔２４ｆ，２４ｇが各々形成されている。
【００３０】
図７に示すように、可動体２４（大径フィン２４ａ，小径フィン２４ｂ）は、ボス２４ｄ，２４ｅをボス孔２３ｃ、ボス２４ｅをガイド孔２３ｄに各々挿通させて取付板２４ｃを回転体２３の前面に重ね合わせて組み付けられる。また、ボス孔２３ｃ，ガイド孔２３ｄを挿通したボス２４ｄ，２４ｅに可動歯車２８のボス孔２８ｂ，２８ｃを各々嵌め込ませるようにして、取付板２８ｄを回転体２３の後面に重ね合わせて取り付けられる。そして、ボス孔２８ｂ，２８ｃに嵌め込まれたボス２４ｄ，２４ｅのねじ孔２４ｆ，２４ｇにねじ２８ｅを後面側より各々嵌め込むことにより、可動体２４（大径フィン２４ａ，小径フィン２４ｂ）が、ボス２４ｄを中心としてボス２４ｅがガイド孔２３ｄの孔端部（２３ｄ１若しくは２３ｄ２；図５参照）と係止する範囲で可動歯車２８が回転可能に組み付けられる（図１１（ａ）（ｂ）参照）。
【００３１】
また、図４（ａ），（ｂ）において、回転体２３（第１の可動体）に対して可動体２４（第２の可動体）を移動させる間、即ち可動体２４が収納位置（第１位置）と作動位置（第２位置）との間を移動する間、回転体２３が後方取付部材２０（対向部材）に対して相対的に回転するのを防ぐ回転規制手段が設けられている。尚、回転規制手段は後方取付部材２０に設けられていてもよい。
【００３２】
具体的には、図８において、回転体２３の外周縁部にはピン孔２３ｅ（径方向に沿った長孔）が複数箇所（例えば４箇所）に穿孔されている。回転体２３の後面側にはピン孔２３ｅの両側に係止ピン２３ｆが各々突設されている。各ピン孔２３ｅには軸ピン２９が貫通して各々嵌め込まれ、各軸ピン２９はねじりコイルばね３０（付勢手段）のコイル孔３０ａに嵌め込まれ、両側ばね端部３０ｂを係止ピン２３ｆと係止するように各々組み付けられる（図４（ｂ）参照）。回転板２３の後面に突出する軸ピン２９には後ローラ３１ｂが回転可能に組み付けられ、回転板２３の前面に突出する軸ピン２９には前ローラ３１ａが回転可能に組み付けられ、Ｅリング３１ｃにより抜け止めされている。また、回転板２３の前面側外周縁部には、ピン３１ｄがインサート成形により立設され、補助ローラ３１ｅがピン３１ｄを中心に回転可能に組み付けられる。上記回転規制手段は、上記コイルばね３０，軸ピン２９，前ローラ３１ａ及び後ローラ３１ｂを含んで構成される。尚、軸ピン２９には前ローラ３１ａ又は後ローラ３１ｂのいずれか一方のみ設けられていてもよい。
【００３３】
各ねじりコイルばね３０のばね端部３０ｂを互いに近づけるように折り畳んで係止ピン２３ｆに係止させているので、該ばね端部３０ｂどうしが離間するように弾発する反力がコイル孔３０ａに嵌め込まれた軸ピン２９に作用する。このため、図４（ｂ）の拡大断面図に示すように、軸ピン２９に嵌め込まれた前ローラ３１ａ，後ローラ３１ｂが回転板２３の径方向外側に向けて常時付勢され、前ローラ３１ａ，後ローラ３１ｂと対向する後方取付部材２０の起立壁２０ｃの内壁面に押し当てられる。また、軸ピン２９が嵌め込まれるピン孔２３ｅは径方向に沿った長孔形状をしているため、ねじりコイルばね３０が弾発して軸ピン２９がピン孔２３ｅ内を径方向外側へ移動し、当該軸ピン２９に嵌め込まれる前ローラ３１ａ及び後ローラ３１ｂに付勢力が確実に伝わる。
【００３４】
図２（ａ），図４（ａ）において、可動体２４（大径フィン２４ａ，小径フィン２４ｂ）が装飾体１９の後方に収納された収納位置にある状態から、モータ２２を起動すると、駆動伝達ギヤ２６の小径歯部２６ａと噛み合う歯車２１ａを通じて装飾体１９が従動回転し、大径歯部２６ｂと噛み合う小径歯部２７ａを通じて伝達ギヤ２７が従動回転する。伝達ギヤ２７が回転しても、ボス２７ｃが長孔２３ｃの端部と当接するまでは、回転体２３にモータトルクは伝わらないようになっている（図５参照）。
【００３５】
このとき、図１１（ａ）において、伝達ギヤ２７が時計回り方向（後面視矢印方向）へ回転すると、大径歯部２７ｂと歯部２８ａで噛み合う可動歯車２８が反時計回り方向（後面視）へ回転する。可動体２４（大径フィン２４ａ，小径フィン２４ｂ）は、ボス２４ｅがガイド孔２３ｄの一端２３ｄ１から他端２３ｄ２に向けて移動し（図５参照）、装飾体１９の外周より外側へ移動して当該装飾体１９の意匠面を拡大表示する作動位置へ移動する（図１１（ｂ）参照）。このとき、例えばボス２４ｅがガイド孔２３ｄ沿って移動する際の接触力や重力などの影響で、回転体２３が後方取付部材２０に対して回転するおそれがある（図７参照）。
【００３６】
しかしながら、図４（ｂ）に示すように、前後ローラ３１ａ，３１ｂが起立壁２０ｃに押し当てられて発生する接触力（摩擦力）が回転体２３に作用する回転トルクの大きさより上回るので、回転体２３の回転が規制される。
図１１（ｂ）において、可動体２４のボス２４ｅが回転体２３のガイド孔２３ｄの他端２３ｄ２（図５参照）に当接すると、可動体２４は作動位置で停止したままとなる。また、図５に示すように伝達歯車２７のボス２７ｃが長孔２３ｂの端部２３ｂ２に到達すると回転力が回転体２３に伝達する。このとき、前後ローラ３１ａ，３１ｂが起立壁２０ｃに押し当てられて発生する摩擦力より回転体２３に作用する回転トルクが大きいため、回転体２３が時計回り方向（後面視）へ回転する。可動体２４は、作動位置を保ったまま、回転体２３と一体となって同方向へ回転する。これにより、回転体２３の動作制御が簡易な機械的構成で精度良く行なえる。また、回転体２３が回転する際に、前後ローラ３１ａ，３１ｂは対向面（起立壁２０ｃ）に押し当てられたまま回転体２３の回転を補助する補助ローラとして機能する。
【００３７】
また、図１３に示すように、前後ローラ３１ａ，３１ｂの外周面と対向面に歯面３６，３７が各々形成されており、当該前後ローラ３１ａ，３１ｂの歯面３６が対向面である起立壁２０ｃの内周面に形成された歯面３７に押し当てられて互いに噛み合うように構成することも可能である。この場合には、回転体２３が回転する際に、前後ローラ３１ａ，３１ｂが対向面に沿って確実に回転するので、回転体２３をスムーズに回転させることができる。尚、起立壁２０ｃ側の内壁面にローラ若しくは歯面付ローラを設けて回転体２３の外周面に押し当てるようにしてもよい。
【００３８】
回転体２３と後方取付部材２０との間に発生する接触力（摩擦力）を調整するうえで、各部の材質を例示すると以下のようになる。軸ピン２９には例えば真鍮若しくはステンレススチールが用いられ前ローラ３１ａ，後ローラ３１ｂの材質は、例えばＰＯＭ（ポリアセタール樹脂）若しくはフッ素入りポリカーボネイト樹脂（Ｆ−ＰＣ）、ポリアミド樹脂（ＰＡ）などが用いられる。また、後方取付部材２０の材質は、例えばポリカーボネイト樹脂（ＰＣ）、ＡＢＳ樹脂、熱可塑性エラストマー樹脂（ＴＰＥ）、ポリブチレンテレフタレート樹脂（ＰＢＴ）、フェノール樹脂（ＰＦ）などのうち、いずれかが好適に用いられる。より好ましくは、後方取付部材２０は、例えばポリカーボネイト樹脂（ＰＣ）と熱可塑性エラストマー樹脂（ＴＰＥ）を用いて二色成形されたものが用いられる。本実施形態のように回転体２３に基準位置を設けない場合には、後方取付部材２０のうちローラ接触面となる起立壁２０ｃ（内壁面側）は摩擦力向上のため、全周にわたって熱可塑性エラストマー樹脂（ＴＰＥ）となるように成形されるのが望ましい。また、回転体２３に原点位置が存在する場合には、その原点位置においてローラと対向する（接触する）起立壁２０ｃ（内壁面）の一部にのみが熱可塑性エラストマー樹脂（ＴＰＥ）となるように成形されていてもよい。
【００３９】
ここで、可動演出装置１８の組立て構成の一例について図６乃至図８を参照して説明する。
先ず、回転体２３を含む回転体ユニットの組立構成について説明する。図７において、回転体２３の前面側に、可動体２４（大径フィン２４ａ、小径フィン２２ｃ）を組み付け、後面側に可動歯車２８を組み付け、ねじ２８ｅにより両者をねじ止めして一体に組み付ける。また、図８において、回転板２３のピン孔２３ｅには軸ピン２９が嵌め込まれ、ねじりコイルばね３０、前後ローラ３１ａ,３１ｂが組み付けられる。
【００４０】
基板１９ｂを含む基板ユニットの組立構成について説明する。図６において、基板台座１９ｃの前面に発光基板１９ｂを組み付ける。発光基板１９ｂは基板台座１９ｃの前面外周縁部に複数箇所に設けられた係止爪１９ｇに係止されて組み付けられる。
【００４１】
駆動源（モータ２２）を含む駆動ユニットの組立構成について説明する。図６において、モータ２２がモータ取付部材２５の後面にビス３５を嵌め込んで組み付けられる。また、モータ取付部材２５の前面に突設されるモータ軸２２ｂにはモータ歯車２２ａが組み付けられ、モータ取付部材２５の前面には駆動伝達歯車２６（大径歯部２６ｂ）がモータ歯車２２ａと噛み合って回転可能に組み付けられる。
【００４２】
次に、上述した各ユニットの組立手順の一例について説明する。図６において、後方取付部材２０の前面側に伝達歯車２７、回転体２３を含む回転体ユニットが挟み込まれるように基板１９ｂを含む基板ユニットを組み付ける。具体的には、基板台座１９ｃの後面に突設された中心円筒部１９ｆを回転体２３の前面に突設された中心円筒部２３ａ内に嵌め合わせ（図３（ａ）（ｂ）参照）、伝達歯車２７の中心孔を通過して後方取付部材２０の前面側に重ね合わせる。そして、後方取付部材２０の後面側よりビス３２を嵌め込んで基板台座１９ｃが一体に組み付けられ、これらの間に伝達ギヤ２７と回転体ユニットが挟み込まれて組み付けられる。このとき、伝達歯車２７の前面側に突設されたボス２７ｃは、回転体２３の中心付近に形成された長孔２３ｂに後面側より挿入されて組み付けられる（図５参照）。
【００４３】
基板台座１９ｃの中心孔１９ｅに軸受部１９ｄを組み付け、後方取付部材２０の中心孔２０ａに軸受部２０ｂを組み付けて、基板１９ｂの前方より前方側装飾部１９ａの回転軸２１を軸受部１９ｄ，軸受部２０ｂを貫通して嵌め込む。そして、図３（ａ）（ｂ）に示すように、後方取付部材２０の後面側に延出した回転軸２１に歯車２１ａを嵌め込みＥリング３３にて抜け止めして組み付ける。
最後に、駆動源（モータ２２）を含む駆動ユニットを後方取付部材２０の後面側に組み付ける。具体的にはモータ２２を組み付けたモータ取付部材２５のビス３５を後方取付部材２０のビス孔に嵌め込んで一体に組み付ける。このとき、モータ歯車２２ａは伝達歯車２７（大径歯部２７ｂ）と噛み合い、駆動伝達歯車２６（小径歯部２６ａ）は歯車２１ａと噛み合うように組み付けられる（図１１（ａ）（ｂ）参照）。
【００４４】
次に上述のように組立構成された可動演出装置１８の演出動作の一例について図１２に基づいて図１乃至図１１を適宜参照しながら説明する。尚、可動体２４が複数組あるため、特定の可動体２４（大径フィン２４ａ，小径フィン２４ｂ）の動作を中心に説明するものとする。以下、具体的に説明する。
【００４５】
図２（ａ）（ｂ）及び図３（ａ）（ｂ）において、モータ２２が起動する前は、装飾体１９を正面視すると、可動体２４（大径フィン２４ａ，小径フィン２４ｂ）は、装飾体１９の背後に隠れた状態にある（図１１（ａ），図１２（ａ）参照）。
このとき、図５に示すように、伝達ギヤ２７のボス２７ｃは回転体２３の長孔２３ｂの一端２３ｂ１と係止した状態にある。
【００４６】
図１において、例えば遊技状態で図柄表示装置１０の画面でリーチが発生したり、大当たりが発生したりした場合などに、図示しない制御部がモータ２２を起動させる。図１１（ａ）において、モータ歯車２２ａが反時計回り方向（正面視で時計回り方向）へ回転すると、大径歯部２６ｂと噛み合う駆動伝達歯車２６は時計回り方向（正面視で反時計回り方向）へ回転する。また、駆動伝達歯車２６が時計回り方向（正面視で時計回り方向）へ回転すると小径歯部２６ａと噛み合う歯車２１ａが反時計回り方向（正面視で時計回り方向）へ回転し、装飾体１９も同方向へ回転する（図９（ａ），図１１（ｂ），図１２（ｂ）参照）。
【００４７】
図１１（ａ）において、モータ歯車２２ａが反時計回り方向（正面視で時計回り方向）へ回転すると、モータ歯車２２ａと小径歯部２７ａで噛み合う伝達歯車２７が時計回り方向（正面視で反時計回り方向）へ回転する。
【００４８】
このとき、図１１（ｂ）において、伝達歯車２７の大径歯部２７ｂと噛み合う可動歯車２８が反時計回り方向（正面視で時計回り方向）へ所定量回転する。これにより、可動体２４（大径フィン２４ａ, 小径フィン２４ｂ）がボス２４ｄを中心にボス２４ｅがガイド孔２３ｄ内を一端２３ｄ１（図５参照）に当接した収納位置から他端２３ｄ２（図５参照）に当接した作動位置へ移動する（図９（ａ）（ｂ），図１０（ａ）（ｂ），図１２（ｂ）参照）。また、回転体２３にはモータ２２からの駆動伝達はされず、回転体２３に設けられた前後ローラ３１ａ，３１ｂがねじりコイルばね３０によって後方取付部材２０の起立壁２０ｃに押し当てられているため、回転体２３はその位置で停止したままとなる（図４（ｂ）参照）。
【００４９】
図５に示すように、伝達ギヤ２７のボス２７ｃは回転体２３の長孔２３ｂの他端２３ｂ２まで移動して係止すると、モータ２２の駆動が回転体２３に伝達される。そして、モータ２２による回転トルクが、回転体２３に設けられた前後ローラ３１ａ，３１ｂと起立壁２０ｃとの接触力（摩擦力）より上回ると、図１２（ｃ）に示すように回転体２３が時計回り方向（正面視で反時計回り方向）へ回転する。可動体２４は、作動位置を保ったまま、回転体２３と一体となって同方向へ回転する（図９（ａ）（ｂ）参照）。装飾体１９は、モータ２２の回転により反時計回り方向（正面視で時計回り方向）へ回転し続けている。
【００５０】
このように、装飾体１９と回転体２３（可動体２４）が異なる方向に回転（逆回転）することで意外性のある演出が行われる。よって、限られた遊技領域で遊技者の興趣が尽きない多彩な演出を行なうことができる。また、装飾体１９と回転体２３（可動体２４）を同方向に回転するように設定することもできる。
尚、回転体２３が回転すると、前後ローラ３１ａ，３１ｂは軸ピン２９を中心に起立壁２０ｃ上を転動してもよいし、起立壁２０ｃに沿って滑動してもいずれでもよい（図４（ｂ）参照）。
【００５１】
以上のように、モータ２２を一方向に回転駆動すると可動体２４が変位して意匠面の表示面積を拡大させたままその状態で回転体２３と一体となって可動体２４が回転するという意外性のある演出が行われるので、限られた遊技領域で遊技者の興趣が尽きない多彩な演出を行なうことができる。
【００５２】
図１の図柄表示装置１０の画面でリーチが終了したり、大当たりが終了したりした場合などに、モータ２２の回転を停止する。
このとき、伝達歯車２７は、ボス２７ｃが長孔２３ｂの他端２３ｂ２（図５参照）に係止した状態にある。また、可動体２４は装飾体１９より外側の作動位置で停止している（図９（ａ）（ｂ）、図１０（ａ）（ｂ）参照）。
【００５３】
尚、モータ２２の回転方向は一例であり、時計回り方向と反時計回り方向とで動作を入れ替えても良いし、或いは、可動体２４が収納位置に収納されたままモータ２２を図１１（ａ）の時計回り方向（正面視で反時計回り方向）回転し続けるようにしてもよい。具体的には、伝達歯車２７のボス２７ｃが長孔２３ｂの一端２３ｂ１に当接したまま回転体２３が回転し、モータ歯車２２ａと噛み合う歯車列（駆動伝達歯車２６（大径歯部２６ｂ，小径歯部２６ａ）、歯車２１ａ；図１１（ａ）参照）を通じて装飾体１９も時計回り方向（正面視で反時計回り方向）へ回転し続ける。このとき、可動体２４は収納位置から移動せず収納位置のまま回転体２３と一体となって回転する。
【００５４】
図１１（ｂ）において、モータ２２を逆転駆動すると、モータ歯車２２ａが時計回り方向（正面視で反時計回り方向）へ回転する。モータ歯車２２ａと大径歯部２６ｂで噛み合う駆動伝達歯車２６が反時計回り方向（正面視で時計回り方向）へ回転する。駆動伝達歯車２６が反時計回り方向（正面視で時計回り方向）へ回転すると、小径歯部２６ａと噛み合う歯車２１ａが時計回り方向（正面視で反時計回り方向）へ回転し、装飾体１９も同方向へ回転する。
【００５５】
また、図１１（ｂ）において、モータ歯車２２ａが時計回り方向（正面視で反時計回り方向）へ回転すると、モータ歯車２２ａと小径歯部２７ａで噛み合う伝達歯車２７が反時計回り方向（正面視で時計回り方向）へ回転する。
【００５６】
このとき、図１１（ａ）において、伝達歯車２７の大径歯部２７ｂと噛み合う可動歯車２８が時計回り方向（正面視で反時計回り方向）へ所定量回転する。これにより、図２（ａ）（ｂ）に示すように、可動体２４（大径フィン２４ａ, 小径フィン２４ｂ）がボス２４ｄを中心にボス２４ｅがガイド孔２３ｄ内を他端２３ｄ２（図５参照）に当接した作動位置（図１１（ｂ）参照）から一端２３ｄ１（図５参照）に当接した収納位置（図１１（ａ）参照）へ移動する。
【００５７】
また、伝達歯車２７のボス２７ｃは長孔２３ｂの他端２３ｂ２より離れるため、回転体２３にはモータ２２からの駆動伝達はされない（図５参照）。また、回転体２３に設けられた前後ローラ３１ａ，３１ｂがねじりコイルばね３０によって後方取付部材２０の起立壁２０ｃに押し当てられて回転規制されているため、回転体２３は連れ回りせずにその位置で停止したままとなる。また、モータ２２は、伝達歯車２７のボス２７ｃが長孔２３ｂの他端２３ｂ２より一端２３ｂ１へ移動し当接すると駆動停止するようにしてもよいし、そのまま駆動継続し、可動体２４が収納位置のまま前面側装飾部１９ａを回転させるようにしてもよい。
【００５８】
よって、モータ２２の回転方向によって、可動体２４を収納位置に維持したまま前面側装飾体１９ａを回転させるか、或いは可動体２４を収納位置から作動位置まで移動させると共に前面側装飾体１９ａを回転させることができるので、演出の幅が広がり遊技者の興趣を高めることができる。
また、可動体２４が収納位置と作動位置との間を移動する際に、後方取付部材２０に対する回転体２３の回転が規制されているので、前面側装飾体１９ａの表示に方向性を持たない場合、回転体２３に原点位置を設けることなくモータ２２の回転方向の切り替えのみで可動体２４を収納位置と作動位置との間を移動させることができ、単一の駆動源による複数の可動体の複雑な移動動作を簡易な機械的構成で実現でき、制御系を簡略化することができる。
【００５９】
上記実施形態は、図１の仮想線に示す可動アーム３４がラック‐ピニオンの噛み合いにより図柄表示装置（液晶表示装置）１０の上方から図柄表示装置（液晶表示装置）１０の前方空間へ変位するようになっており、この可動アーム３４の先端に可動演出装置１８が一体に組み付けられていたが、この態様に限定されるものではない。例えば、可動演出装置１８は、図１に示すパチンコ機１のセンター役物１１の固定された機構ベースに組み付けられていてもよい。
【００６０】
また、前述した可動体２４（第２の可動体）は、モータ２２より駆動伝達されて回転体２３（第１の可動体）に収納位置と作動位置との間を回転可能に組み付けられていたが、これに限定されるものではない、例えば、可動体は回転移動に替えて回転体の径方向にスライド移動（直線移動）するよう設けてもよい。以下、図１４及び図１５を参照して具体例で説明する。
【００６１】
図１４（ａ）（ｂ）において、回転板２３には可動体３８が径方向内側の収納位置と径方向外側の作動位置との間をスライド移動可能に設けられている。具体的には、回転体２３の中心円筒部２３ａの外周にはフック２３ｇが設けられている。また、可動体３８の当接部３８ａにはフック３８ｂが設けられている。また、フック２３ｇとフック３８ｂとの間には引っ張りばね３９が各々係止している。この引っ張りばね３８が自然長に戻ろうとする引張力によって、当接部３８ａが長孔２３ｂを挿通して伝達歯車２７（図示せず）の前方に延出するボス２７ｃに常時当接するように付勢されている。
【００６２】
図１５において、可動体３８の後面側にはボス３８ｃが突設されている。このボス３８ｃは、回転体２３の径方向に形成された長孔２３ｈに挿入されている。よって、可動体３８は、図１４（ａ）に示すようにボス３８ｃが長孔２３ｈの径方向内側端部に当接した収納位置と、図１４（ｂ）に示すボス３８ｃが長孔２３ｈの径方向外側端部に当接した作動位置との間を直線移動する。
【００６３】
図１４（ａ）において、駆動源が起動する前は、ボス２７ｃは長孔２３ｂの一端２３ｂ１に当接したまま停止している。このとき可動体３８は、径方向内側の収納位置に保持されている。図１４（ｂ）において、駆動源が作動して図示しない伝達歯車２７が正面視で時計回り方向に回転すると、ボス２７ｃも長孔２３ｂの一端２３ｂ１から他端２３ｂ２に向けて移動する。このとき、引っ張りばね３９により付勢されて常時ボス２７ｃに当接している当接部３８ａは、ボス２７ｃの長孔２３ｂに添った円弧を描く移動軌跡にともなって引っ張りばね３９の引っ張り力に抗して径方向外側に押し出された作動位置へスライド移動する。尚、前ローラ３１ａと後ローラ３１ｂ（図示せず）が後方取付部材２０の起立壁２０ｃ（図示せず）に押し当てられているため、回転体２３は連れ回りしないようになっている。
【００６４】
ボス２７ｃが長孔２３ｃの他端２３ｂ２に当接したまま図示しない伝達歯車２７が更に同方向へ回転しようとすると、回転体２３に作用する回転トルクが前ローラ３１ａと後ローラ３１ｂ（図示せず）が起立壁２０ｃ（図示せず）に押し当てられて発生する摩擦力より上回るため、可動体３８が作動位置を維持したまま回転体２３が伝達歯車２７と一体となって回転する。
【００６５】
駆動源を逆転駆動すると、伝達歯車２７が逆回転するため、図１４（ｂ）に示すボス２７ｃが長孔２３ｂの他端２３ｂ２に当接した状態から、図１４（ａ）に示す長孔２３ｂの一端２３ｂ１に当接する位置まで移動する。このとき、可動体３８は、引っ張りばね３９の引っ張り力によってボス２７ｃに当接部３８ａが当接したまま作動位置（図１４（ｂ）参照）から、収納位置（図１４（ａ）参照）までボス３８ｃが長孔２３ｈに沿ってスライド移動する。尚、前ローラ３１ａと後ローラ３１ｂ（図示せず）が後方取付部材２０の起立壁２０ｃ（図示せず）に押し当てられているため、回転体２３は連れ回りしないようになっている。
【００６６】
上述した各実施例は、遊技機の一例としてパチンコ遊技機について説明したが、他に例えばアレンジボール遊技機、パチスロ遊技機、雀球遊技機等の他の遊技機に設けられる可動演出装置に適用することも可能である。
【符号の説明】
【００６７】
１  パチンコ機
２  外枠  
３  遊技盤  
４ａ，４ｂ  ヒンジ  
５  前面枠  
６  窓部  
７  スピーカー  
８  球受け皿  
９  発射ハンドル  
１０  図柄表示装置（液晶表示装置）  
１１  センター役物  
１２  スルーチャッカー  
１３  風車  
１４ａ  電動チューリップ  
１４ｂ  アタッカー  
１５  遊技盤レール  
１６  サイドランプ  
１７  アウト口
１８  可動演出装置  
１９  装飾体  
１９ａ  前面側装飾部  
１９ｂ  発光基板
１９ｃ  基板台座  
１９ｄ，２０ｂ  軸受部  
１９ｅ，２０ａ  中心孔  
１９ｆ，２３ａ  中心円筒部  
１９ｇ  係止爪
２０  後方取付部材  
２１  回転軸  
２１ａ  歯車  
２２  モータ  
２２ａ  モータ歯車  
２３  回転体  
２３ｂ，２３ｈ  長孔  
２３ｃ，２８ｂ，２８ｃ  ボス孔  
２３ｄ  ガイド孔  
２３ｅ  ピン孔  
２３ｆ  係止ピン  
２３ｇ，３８ｂ  フック
２４，３８  可動体  
２４ａ  大径フィン  
２４ｂ  小径フィン  
２４ｃ，２８ｄ  取付板  
２４ｄ，２４ｅ，２７ｃ，３８ｃ  ボス  
２４ｆ，２４ｇ  ねじ孔  
２５  モータ取付部材  
２６  駆動伝達歯車  
２６ａ，２７ａ  小径歯部  
２６ｂ，２７ｂ  大径歯部  
２７  伝達歯車  
２８  可動歯車  
２８ａ  歯部
２９  軸ピン  
３０  ねじりコイルばね  
３０ａ  コイル孔  
３０ｂ  ばね端部  
３１ａ  前ローラ  
３１ｂ  後ローラ  
３１ｃ，３３  Ｅリング
３１ｄ  ピン
３１ｅ  補助ローラ
３２，３５  ビス  
３４  可動アーム
３６，３７  歯面
３８ａ  当接部  
３９  引っ張りばね
【図１】
0005396229.tif 000002
【図２】
0005396229.tif 000003
【図３】
0005396229.tif 000004
【図４】
0005396229.tif 000005
【図５】
0005396229.tif 000006
【図６】
0005396229.tif 000007
【図７】
0005396229.tif 000008
【図８】
0005396229.tif 000009
【図９】
0005396229.tif 000010
【図１０】
0005396229.tif 000011
【図１１】
0005396229.tif 000012
【図１２】
0005396229.tif 000013
【図１３】
0005396229.tif 000014
【図１４】
0005396229.tif 000015
【図１５】
0005396229.tif 000016